(57)【特許請求の範囲】
【請求項１】
ヒューズ接続部に挿入接続されるヒューズと、前記ヒューズの下流側に接続される所望の配索パターンで複数配索されている第一バスバーと、前記第一バスバーの一部に連成されヒューズボックスケースの長手方向に沿って複数個並べられた状態で配設され、該ヒューズボックスケースの外側に該ヒューズボックスケースの下面に対し直交する方向に導出される電力供給部と、前記複数の電力供給部を挿入するため、各電力供給部の導出方向において各電力供給部を収容する収容溝の一面を開放された溝が設けられ、該溝に各電力供給部を装着して保持するガイド部材であって、相対向させて配置された一対のガイド部材で構成される一対の接続部と、前記ヒューズボックスケースの前記下面に該ヒューズボックスケースの長手方向に沿って形成される共通仕様の嵌合部と、
を有するヒューズボックスと，
複数の溝がＬ字状に形成される絶縁基板と、Ｌ字状に形成され一端に分配ボックス側接地部が連成され他端にコネクタ接続部を構成する端子のタブが起立連成され前記絶縁基板の溝に収容する配索される第二バスバーとからなる積層バスバー配線板と、上部ケースと下部ケースによって収容空間を長方形状に区画形成し、長手方向一端が封止され、他端が開放されてなり、前記積層バスバー配線板を収納し前記開放端に前記第二バスバーのタブを覗かせてワイヤハーネスの端末に設けられたコネクタを接続するためのコネクタ接続部を構成するハウジング部と側部に前記絶縁基板の溝に対応して形成されるスリットを介して前記第二バスバーの分配ボックス側接地部を外部に導出し、両外表面に長手方向に沿って共通仕様の嵌合部を形成してなる結合エリアとからなる分配ボックスケースと、
を有する一又は複数種の電源分配ボックスと，
を備え、
前記ヒューズボックスケースの下面に対し直交する方向に導出される電力供給部に前記第二バスバーの分配ボックス側接地部を接触させつつ、前記ヒューズボックスと前記一又は複数種の電源分配ボックスの一又は複数とを前記共通仕様の嵌合部を介して一体に結合した
ことを特徴とする電気接続箱。
【請求項２】
ヒューズ接続部に挿入接続されるヒューズと、前記ヒューズの下流側に接続される所望の配索パターンで複数配索されている第一バスバーと、前記第一バスバーの一部に連成されヒューズボックスケースの長手方向に沿って複数個並べられた状態で配設され、該ヒューズボックスケースの外側に該ヒューズボックスケースの下面に対し直交する方向に導出される電力供給部と、前記複数の電力供給部を挿入するため、各電力供給部の導出方向において各電力供給部を収容する収容溝の一面を開放された溝が設けられ、該溝に各電力供給部を装着して保持するガイド部材であって、相対向させて配置された一対のガイド部材で構成される一対の接続部と、前記ヒューズボックスケースの前記下面に該ヒューズボックスケースの長手方向に沿って形成される共通仕様の嵌合部と、
を有するヒューズボックスと，
複数の溝がＬ字状に形成される絶縁基板と、Ｌ字状に形成され一端に分配ボックス側接地部が連成され他端にコネクタ接続部を構成する端子のタブが起立連成され前記絶縁基板の溝に収容する配索される第二バスバーとからなる積層バスバー配線板と、上部ケースと下部ケースによって収容空間を長方形状に区画形成し、長手方向一端が封止され、他端が開放されてなり、前記積層バスバー配線板を収納し前記開放端に前記第二バスバーのタブを覗かせてワイヤハーネスの端末に設けられたコネクタを接続するためのコネクタ接続部を構成するハウジング部と側部に前記絶縁基板の溝に対応して形成されるスリットを介して前記第二バスバーの分配ボックス側接地部を外部に導出し、両外表面に長手方向に沿って共通仕様の嵌合部を形成してなる結合エリアとからなる分配ボックスケースと、
を有する一又は複数種の電源分配ボックスと，
Ｔ字状に形成される絶縁基板と，一端にリレーボックス側接地部が起立連成され他端にリレーの端子に対するタブが起立連成されるバスバーと、一端にリレーの端子に対するタブが起立連成され他端にコネクタ接続部を構成するタブとが起立連成されるバスバーとを前記絶縁基板に重ね合わせて配索され、前記リレーボックス側接地部及び前記ヒューズボックスの接続部の電力供給部を介して対応するヒューズの下流側と接続されるようになっている第三バスバーとからなる積層バスバー配線板と，上部ケースと下部ケースによって収容空間をＴ字形状に区画形成し、前記積層バスバー配線板の前記第三バスバーを収納し、表面にリレー接続部が構成される上部ケースのリレー接続エリアと表面にコネクタ接続部が構成される下部ケースのコネクタ接続エリアとで形成されたハウジング部と、側部に前記積層バスバー配線板の絶縁基板に配索される前記第三バスバーの前記リレーボックス側接地部をスリットを介して外部に導出し、両外表面に長手方向に沿って共通仕様の嵌合部を形成してなる結合エリアとからなるリレーボックスケースと、
を有するリレーボックスと，
を備え、
前記ヒューズボックスケースの下面に対し直交する方向に導出される電力供給部に前記第二バスバーの分配ボックス側接地部及び前記第三バスバーのリレーボックス側接地部を接触させつつ、前記ヒューズボックスと前記一又は複数種の電源分配ボックスの一又は複数と前記リレーボックスとを前記共通仕様の嵌合部を介して一体に結合した
ことを特徴とする電気接続箱。
【請求項３】
前記分配ボックス側接地部は、可撓性を有するものである請求項１又は２に記載の電気接続箱。
【請求項４】
前記分配ボックス側接地部及び前記リレーボックス側接地部は、可撓性を有するものである請求項２に記載の電気接続箱。
【発明の詳細な説明】
【０００１  】
【発明の属する技術分野】
本発明は、電源分配を行うための電気接続箱に関する。
【０００２  】
【従来の技術】
車両には、装備しているシステムの数、内容によるグレード、及びバリエーションがあり、そのグレードやバリエーションによってワイヤハーネスの回路本数、ジョイント数などが変化するようになっている。そして、このような回路やジョイントの吸収を電気接続箱で行うことによって、ワイヤハーネスの複雑化、肥大化を回避し、製造性の向上、製造の自動化、生産性の向上が図られるようになっている。
【０００３  】
図１５は従来の電気接続箱の一例であって、図中の引用符号１は上部ケース１ａと下部ケース１ｂとからなる合成樹脂製のケース、引用符号２はヒューズ、引用符号３はリレー、引用符号４はヒュージブルリンク（複数のヒューズ２の電源側に接続される大容量のヒューズ）を示している。また、引用符号５ａ〜５ｈはワイヤハーネスの端末に設けられるコネクタを接続するためのコネクタ接続部を示している。
【０００４  】
コネクタ接続部５ａ〜５ｃには、エンジンルーム用ワイヤハーネスが接続されるようになっている。また、コネクタ接続部５ｄ及び５ｅには、インストルメントパネル用ワイヤハーネスが接続されるようになっている。さらに、コネクタ接続部５ｆには、ドア用ワイヤハーネスが、コネクタ接続部５ｇにはフロア用ワイヤハーネスが、コネクタ接続部５ｈにはカウルサイド用ワイヤハーネスが接続されるようになっている。
【０００５  】
尚、ケース１内には、特に図示しないが、複数のバスバーと絶縁基板とを重ねた積層バスバー配線板が収容されている。また、各バスバーには、上向き又は下向きにタブが起立連成されており、そのタブがコネクタ接続部５ａ〜５ｈ、ヒューズ用コネクタ接続部２ａ、リレー用コネクタ接続部３ａ、及びヒュージブルリンク用コネクタ接続部４ａ内に各々コネクタ端子として収容配列されるようになっている。
【０００６  】
【発明が解決しようとする課題】
ところで上記従来技術にあっては、図１５に示される如く、ヒューズブロックａ、リレーブロックｂ、ヒュージブルリンクブロックｃ、及びワイヤハーネス接続ブロックｄ〜ｆを一体に組み込んだ形態の電気接続箱になっていた。また、例えば低いグレードに合わせて製造すると、高いグレードのワイヤハーネスのジョイントなどが吸収されず、逆に高いグレードに合わせて製造すると、電気接続箱が大型化してしまうとともに低いグレードの無駄な回路が多く発生してしまうような形態の電気接続箱になっていた。
【０００７  】
従って、ワイヤハーネスの分割形態、ワイヤハーネスのジョイント形態、車種、グレード、の差による回路の増減に柔軟に対応することができないという問題点があった。また、これによって、近年の傾向である多品種少量生産にも柔軟に対応することができないという問題点があった。さらに、ワイヤハーネスの分割形態、ワイヤハーネスのジョイント形態、車種、グレード毎に電気接続箱を製造していることから、その種類がきわめて多くなり金型費等を含め膨大な設備費を要してしまうという問題点もあった。
【０００８  】
本発明は、上述した事情に鑑みてなされるもので、ワイヤハーネスの分割形態、ワイヤハーネスのジョイント形態、車種、グレード、の差による回路の増減及びコストの調整に柔軟に対応することが可能な電気接続箱を提供することを課題とする。
【０００９】
【課題を解決するための手段】
上記課題を解決するためなされた請求項１記載の本発明の電気接続箱は、ヒューズ接続部に挿入接続されるヒューズと、前記ヒューズの下流側に接続される所望の配索パターンで複数配索されている第一バスバーと、前記第一バスバーの一部に連成されヒューズボックスケースの長手方向に沿って複数個並べられた状態で配設され、該ヒューズボックスケースの外側に該ヒューズボックスケースの下面に対し直交する方向に導出される電力供給部と、前記複数の電力供給部を挿入するため、各電力供給部の導出方向において各電力供給部を収容する収容溝の一面を開放された溝が設けられ、該溝に各電力供給部を装着して保持するガイド部材であって、相対向させて配置された一対のガイド部材で構成される一対の接続部と、前記ヒューズボックスケースの前記下面に該ヒューズボックスケースの長手方向に沿って形成される共通仕様の嵌合部と、
を有するヒューズボックスと，
複数の溝がＬ字状に形成される絶縁基板と、Ｌ字状に形成され一端に分配ボックス側接地部が連成され他端にコネクタ接続部を構成する端子のタブが起立連成され前記絶縁基板の溝に収容する配索される第二バスバーとからなる積層バスバー配線板と、上部ケースと下部ケースによって収容空間を長方形状に区画形成し、長手方向一端が封止され、他端が開放されてなり、前記積層バスバー配線板を収納し前記開放端に前記第二バスバーのタブを覗かせてワイヤハーネスの端末に設けられたコネクタを接続するためのコネクタ接続部を構成するハウジング部と側部に前記絶縁基板の溝に対応して形成されるスリットを介して前記第二バスバーの分配ボックス側接地部を外部に導出し、両外表面に長手方向に沿って共通仕様の嵌合部を形成してなる結合エリアとからなる分配ボックスケースと、
を有する一又は複数種の電源分配ボックスと，
を備え、
前記ヒューズボックスケースの下面に対し直交する方向に導出される電力供給部に前記第二バスバーの分配ボックス側接地部を接触させつつ、前記ヒューズボックスと前記一又は複数種の電源分配ボックスの一又は複数とを前記共通仕様の嵌合部を介して一体に結合したことを特徴としている。
【００１０】
上記課題を解決するためなされた請求項２記載の本発明の電気接続箱は、ヒューズ接続部に挿入接続されるヒューズと、前記ヒューズの下流側に接続される所望の配索パターンで複数配索されている第一バスバーと、前記第一バスバーの一部に連成されヒューズボックスケースの長手方向に沿って複数個並べられた状態で配設され、該ヒューズボックスケースの外側に該ヒューズボックスケースの下面に対し直交する方向に導出される電力供給部と、前記複数の電力供給部を挿入するため、各電力供給部の導出方向において各電力供給部を収容する収容溝の一面を開放された溝が設けられ、該溝に各電力供給部を装着して保持するガイド部材であって、相対向させて配置された一対のガイド部材で構成される一対の接続部と、前記ヒューズボックスケースの前記下面に該ヒューズボックスケースの長手方向に沿って形成される共通仕様の嵌合部と、
を有するヒューズボックスと，
複数の溝がＬ字状に形成される絶縁基板と、Ｌ字状に形成され一端に分配ボックス側接地部が連成され他端にコネクタ接続部を構成する端子のタブが起立連成され前記絶縁基板の溝に収容する配索される第二バスバーとからなる積層バスバー配線板と、上部ケースと下部ケースによって収容空間を長方形状に区画形成し、長手方向一端が封止され、他端が開放されてなり、前記積層バスバー配線板を収納し前記開放端に前記第二バスバーのタブを覗かせてワイヤハーネスの端末に設けられたコネクタを接続するためのコネクタ接続部を構成するハウジング部と側部に前記絶縁基板の溝に対応して形成されるスリットを介して前記第二バスバーの分配ボックス側接地部を外部に導出し、両外表面に長手方向に沿って共通仕様の嵌合部を形成してなる結合エリアとからなる分配ボックスケースと、
を有する一又は複数種の電源分配ボックスと，
Ｔ字状に形成される絶縁基板と，一端にリレーボックス側接地部が起立連成され他端にリレーの端子に対するタブが起立連成されるバスバーと、一端にリレーの端子に対するタブが起立連成され他端にコネクタ接続部を構成するタブとが起立連成されるバスバーとを前記絶縁基板に重ね合わせて配索され、前記リレーボックス側接地部及び前記ヒューズボックスの接続部の電力供給部を介して対応するヒューズの下流側と接続されるようになっている第三バスバーとからなる積層バスバー配線板と，上部ケースと下部ケースによって収容空間をＴ字形状に区画形成し、前記積層バスバー配線板の前記第三バスバーを収納し、表面にリレー接続部が構成される上部ケースのリレー接続エリアと表面にコネクタ接続部が構成される下部ケースのコネクタ接続エリアとで形成されたハウジング部と、側部に前記積層バスバー配線板の絶縁基板に配索される前記第三バスバーの前記リレーボックス側接地部をスリットを介して外部に導出し、両外表面に長手方向に沿って共通仕様の嵌合部を形成してなる結合エリアとからなるリレーボックスケースと、
を有するリレーボックスと，
を備え、
前記ヒューズボックスケースの下面に対し直交する方向に導出される電力供給部に前記第二バスバーの分配ボックス側接地部及び前記第三バスバーのリレーボックス側接地部を接触させつつ、前記ヒューズボックスと前記一又は複数種の電源分配ボックスの一又は複数と前記リレーボックスとを前記共通仕様の嵌合部を介して一体に結合したことを特徴としている。
【００１２】
請求項３記載の本発明の電気接続箱は、請求項１又は請求項２に記載の電気接続箱において、前記分配ボックス側接地部を、可撓性を有するもので形成したことを特徴としている。
【００１３】
請求項４記載の本発明の電気接続箱は、請求項２に記載の電気接続箱において、前記分配ボックス側接地部及び前記リレーボックス側接地部を、可撓性を有するもので形成したことを特徴としている。
【００１４  】
請求項１に記載された本発明によれば、ヒューズボックスと一又は複数種の電源分配ボックスとを備えた電気接続箱になる。また、共通仕様の嵌合部を介してヒューズボックスと一又は複数種の電源分配ボックスとが一体に結合する電気接続箱になる。そして、ヒューズボックスと一又は複数種の電源分配ボックスとが一体に結合する際に、ヒューズボックスの接続部の所望の電力供給部に電源分配ボックスの分配ボックス側接地部が接触して電気的な接続も完了するような電気接続箱になる。
電気接続箱のバリエーションとしては、ヒューズボックスと電源分配ボックス、ヒューズボックスと複数の電源分配ボックス、ヒューズボックスと前述と異なる電源分配ボックス、及び、ヒューズボックスと前述と異なる複数の電源分配ボックス…が挙げられる。また、電源分配ボックスの種類としては、ヒューズからの分配がコネクタ接続部の端子に対して一対一となるものや、ヒューズからの分配が複数のコネクタ接続部に跨るとともに、Ｊ／Ｃ機能（ジョイントコネクタの機能）も加えられているものが挙げられる。
電源分配ボックスの結合数や、電源分配ボックスの使い分けにより、ワイヤハーネスの分割形態、ワイヤハーネスのジョイント形態、車種、グレード、の差による回路の増減及びコストの調整に柔軟に対応することが可能になる。
【００１５  】
請求項２に記載された本発明によれば、ヒューズボックスと一又は複数種の電源分配ボックスとリレーボックスとを備えた電気接続箱になる。また、共通仕様の嵌合部を介してヒューズボックスと一又は複数種の電源分配ボックスとリレーボックスとが一体に結合する電気接続箱になる。そして、ヒューズボックスと一又は複数種の電源分配ボックスとリレーボックスとが一体に結合する際に、ヒューズボックスの接続部の所望の電力供給部に電源分配ボックスの分配ボックス側接地部及びリレーボックス側接地部が接触して電気的な接続も完了するような電気接続箱になる。
電気接続箱のバリエーションとしては、ヒューズボックスとリレーボックスと電源分配ボックス、ヒューズボックスとリレーボックスと複数の電源分配ボックス、ヒューズボックスとリレーボックスと前述と異なる電源分配ボックス、及び、ヒューズボックスとリレーボックスと前述と異なる複数の電源分配ボックス…が挙げられる。また、電源分配ボックスの種類としては、ヒューズからの分配がコネクタ接続部の端子に対して一対一となるものや、ヒューズからの分配が複数のコネクタ接続部に跨るとともに、Ｊ／Ｃ機能（ジョイントコネクタの機能）も加えられているものが挙げられる。
電源分配ボックスの結合数や、電源分配ボックスの使い分けにより、ワイヤハーネスの分割形態、ワイヤハーネスのジョイント形態、車種、グレード、の差による回路の増減及びコストの調整に柔軟に対応することが可能になる。
【００１７】
請求項３に記載された本発明によれば、可撓性を有する分配ボックス側接地部になることから、電力供給部に押圧されるように接続することによって電気的な接続が確実に行われ維持される。
【００１８】
請求項４に記載された本発明によれば、可撓性を有する分配ボックス側接地部及びリレーボックス側接地部になることから、電力供給部に押圧されるように接続することによって電気的な接続が確実に行われ維持される。
【００１９  】
【発明の実施の形態】
以下、図面を参照して本発明の実施の形態を説明する。
図１は本発明の電気接続箱の一実施の形態を示す斜視図、図２は分解斜視図である。また、図３及び図４はヒューズボックスに関する図、図５及び図６はリレーボックスに関する図、図７及び図８は電源分配ボックスに関する図、図９及び図１０は図７とは異なる種類の電源分配ボックスに関する図を示している。
【００２０  】
図１（ａ）、図１（ｂ）、及び図２において、引用符号２１は自動車等の車両に搭載される電気接続箱を示している。その電気接続箱２１は、電源ボックスとしての機能を有しており、ヒューズボックス２２と、必要に応じて設けられるリレーボックス２３と、電源分配ボックス群２４とを備えて構成されている。また、電気接続箱２１は、ヒューズボックス２２に対してリレーボックス２３と電源分配ボックス群２４とを（又は電源分配ボックス群２４のみを）結合させて一体にした構成になっている。尚、電源分配ボックス群２４は、本形態において、電源分配ボックス２５、２５と、これとは異なる種類の電源分配ボックス２６とで構成されている。
【００２１  】
先ず、上記ヒューズボックス２２について説明すると、そのヒューズボックス２２は、図３（ａ）、図３（ｂ）に示される如く、上面２７から突出するヒューズ接続部２８を一体に形成した合成樹脂製のヒューズボックスケース２９を有している。また、ヒューズ接続部２８には、複数のヒューズ３０に対する接続部３１が形成されている。そして、そこにはヒューズ３０が各々挿入接続されている。引用符号３２はヒューズボックスケース２９の側部に形成された上流側接続部を示しており、その上流側接続部３２を介して各ヒューズ３０の上流側との接続が可能になっている。
【００２２  】
ヒューズボックスケース２９内には、各ヒューズ３０の下流側に接続される図示しないバスバー（特許請求の範囲に記載した第一バスバーに相当）が所望の配索パターンで複数配索されている。その図示しない各バスバーの一部には、電力供給部３３が連成されている。
【００２３  】
各電力供給部３３は、比較的長いタブであってヒューズボックスケース２９の下面３４から外部に導出されている。各電力供給部３３の導出方向は、ヒューズボックスケース２９の下面３４に対し直交する方向に一致（ほぼ一致でもよい）するようになっている。導出された電力供給部３３は、ヒューズボックスケース２９の長手方向に沿って複数個並べられた状態で配設されている。その複数個並べられた状態で配設された電力供給部３３は、相対向する対をなして配設されており、そこにガイド部材３５、３５が沿わせられて一対の接続部３６、３６が構成されている。その接続部３６、３６の間となるヒューズボックスケース２９の下面３４には、ヒューズボックスケース２９の長手方向に沿う嵌合部３７、３７が形成されている。
【００２４  】
図４において、接続部３６、３６をもう少し詳しく説明すると（一方のみ説明する）、複数個並べらた電力供給部３３と、その電力供給部３３の導出部分に形成された基部３８と、平板状の上記ガイド部材３５とで構成されている。基部３８は、ヒューズボックスケース２９の下面３４から突出するように形成されている。また、基部３８は、ヒューズボックスケース２９の長手方向に沿って形成されている。基部３８の上記長手方向の両端部には、ガイド部材３５に対する係合凹部３９、３９が形成されている。ガイド部材３５には、電力供給部３３を収容する溝４０が複数形成されている。また、ガイド部材３５の両端部には、係合凹部３９、３９に係合する係合突起４１、４１が形成されている。複数の溝４０は、電力供給部３３の並ぶピッチに一致して複数並んで形成されている。
【００２５  】
接続部３６は、各電力供給部３３を基部３８から外部に導出させた後、ガイド部材３５を基部３８に係合させることにより形成されている。これにより、電力供給部３３は、ガイド部材３５の溝４０内に収容され、その位置が規制されるようになる。また、ガイド部材３５によって電力供給部３３の剛性が高められ、後述する分配ボックス側接地部７９（図８参照）や後述するリレーボックス側接地部６０（図６参照）が接続されても撓みを生じることはなく、確実に電気的な接続がなされるようになっている。
【００２６  】
尚、嵌合部３７、３７は特許請求の範囲に記載した共通仕様の嵌合部に相当し、その説明については後述するものとする。
【００２７  】
次に、上記リレーボックス２３について説明すると、そのリレーボックス２３は、図５及び図６に示される如く、合成樹脂製の上部ケース４２（特許請求の範囲に記載したリレーボックスケースに相当）と、同じく合成樹脂製の下部ケース４３（特許請求の範囲に記載したリレーボックスケースに相当）と、積層バスバー配線板４４とを備えて構成されている。
【００２８  】
上部ケース４２は、リレー接続エリア４５と上記接続部３６、３６（図３参照）に対する上部側結合エリア４６とを有している。そのリレー接続エリア４５の表面には、リレー接続部４７、４７を構成するハウジング部（この数に限られるものではないものとする）が形成されており、リレー４８が接続されるようになっている。また、リレー接続エリア４５の周縁部には、下部ケース４３に対しての係合部４９、４９が形成されている。一方、上部側結合エリア４６の表面には、上記嵌合部３７、３７（図３参照）に嵌合する嵌合部５０、５０が形成されている。また、上部側結合エリア４６の周縁部には、後述するリレーボックス側接地部６０、６０を導出させるためのスリット５１、５１（一方のみ図示）と、下部ケース４３に対しての係合部４９が形成されている。
【００２９  】
下部ケース４３は、コネクタ接続エリア５２と上記接続部３６、３６（図３参照）に対する下部側結合エリア５３とを有している。そのコネクタ接続エリア５２の表面には、コネクタ接続部５４を構成するハウジング部（本形態において一つであるが、この数に限られるものではないものとする）が形成されており、図示しないワイヤハーネスの端末に設けられたコネクタを接続することができるようになっている。また、コネクタ接続エリア５２の周縁部には、上部ケース４２に対しての被係合部５５、５５が形成されている。一方、下部側結合エリア５３の表面には、嵌合部３７、３７が形成されている。また、下部側結合エリア５３の周縁部には、上部ケース４２に対しての被係合部５５、５５が形成されている。
【００３０  】
尚、嵌合部３７、３７及び嵌合部５０、５０は特許請求の範囲に記載した共通仕様の嵌合部に相当し、その説明については後述するものとする。
【００３１  】
積層バスバー配線板４４は、上部ケース４２と下部ケース４３とで区画形成される収容空間内に収容されるものであって、バスバー５６、５７及びその他のバスバー群５８と、絶縁基板５９とを備えて構成されている。また、積層バスバー配線板４４は、バスバー５６、５７及びその他のバスバー群５８と、絶縁基板５９とを重ね合わせることにより形成されている。
【００３２  】
バスバー５６、５７は、特許請求の範囲に記載した第三バスバーに相当するものであって、その一端（若しくは一部）には、スリット５１、５１（一方のみ図示）を介して外部に導出されるリレーボックス側接地部６０、６０が連成されている。また、バスバー５６、５７の他端には、リレー４８の端子に対するタブ６１、６１が起立連成されている。バスバー５６、５７は、リレーボックス側接地部６０、６０及び接続部３６の電力供給部３３を介して対応するヒューズ３０の下流側と接続されるようになっている（図３参照）。
【００３３  】
リレーボックス側接地部６０、６０は、可撓性を有しており、電力供給部３３（図３参照）に対して押し付けられるように配設されている。また、リレーボックス側接地部６０、６０の中間には、電力供給部３３（図３参照）に接触する円弧状の電気接触部６２、６２が形成されている。そして、リレーボックス側接地部６０、６０の先端は、上部ケース４２側に位置するように配設されている（言い換えれば、リレーボックス側接地部６０、６０は、リレーボックス２３のヒューズボックス２２に対する結合方向に沿って形成されている）。尚、可撓性を有するリレーボックス側接地部６０、６０は、電気的な接続を確実に行うことができるとともに、これを維持することができるという利点がある。
【００３４  】
その他のバスバー群５８は、リレー４８の端子に対するタブ６１と、コネクタ接続部５４を構成するタブ６３とをそれぞれ有している。
【００３５  】
リレーボックス２３は、上部ケース４２と下部ケース４３とで区画形成される収容空間内に積層バスバー配線板４４を収容した状態で複数の係合部４９と被係合部５５とを係合させることによって形成されている。また、リレーボックス２３には、所望の電力供給部３３（図４参照）の位置に合わせてリレーボックス側接地部６０、６０が導出されている。
【００３６  】
続いて、上記電源分配ボックス群２４（図２参照）を構成する電源分配ボックス２５について説明すると、その電源分配ボックス２５は、図７及び図８に示される如く、合成樹脂製の上部ケース６４（特許請求の範囲に記載した分配ボックスケースに相当）と、同じく合成樹脂製の下部ケース６５（特許請求の範囲に記載した分配ボックスケースに相当）と、積層バスバー配線板６６とを備えて構成されている。
【００３７  】
上部ケース６４は、コネクタ接続エリア６７と上記接続部３６、３６（図３参照）に対する上部側結合エリア６８とを有している。そのコネクタ接続エリア６７の表面には、コネクタ接続部６９を構成するハウジング部７０が形成されている。また、ハウジング部７０には、下部ケース６５に対しての係合部７１、７１が形成されている。一方、上部側結合エリア６８の表面には、嵌合部３７、３７が形成されている。また、上部側結合エリア６８の周縁部には、後述する分配ボックス側接地部７９を導出させるための複数のスリット７２と、下部ケース６５に対しての係合部７１が形成されている。
【００３８  】
下部ケース６５は、コネクタ接続エリア７３と上記接続部３６、３６（図３参照）に対する下部側結合エリア７４とを有している。そのコネクタ接続エリア７３の表面には、コネクタ接続部６９を構成するハウジング部７５が形成されている。また、ハウジング部７５には、上部ケース６４対しての被係合部７６、７６が形成されている。一方、下部側結合エリア７４の表面には、嵌合部５０、５０が形成されている。また、下部側結合エリア７４の周縁部には、上部ケース６４に対しての被係合部７６と複数のスリット７２とが形成されている。
【００３９  】
尚、嵌合部３７、３７及び嵌合部５０、５０は特許請求の範囲に記載した共通仕様の嵌合部に相当し、その説明については後述するものとする。
【００４０  】
積層バスバー配線板６６は、上部ケース６４と下部ケース６５とで区画形成される収容空間内に収容されるものであって、複数のバスバー７７と、絶縁基板７８とを備えて構成されている。また、積層バスバー配線板６６は、複数のバスバー７７と、絶縁基板７８とを重ね合わせることにより形成されている。
【００４１  】
各バスバー７７は、特許請求の範囲に記載した第二バスバーに相当するものであって、その一端（若しくは一部）には、対応するスリット７２を介して外部に導出される分配ボックス側接地部７９が連成されている。また、各バスバー７７の他端には、コネクタ接続部６９を構成する端子としてのタブ８０が連成されている。各バスバー７７は、分配ボックス側接地部７９及び接続部３６の電力供給部３３を介して対応するヒューズ３０の下流側と接続されるようになっている（図３参照）。
【００４２  】
各分配ボックス側接地部７９は、可撓性を有しており、電力供給部３３（図３参照）に対して押し付けられるように配設されている。また、各分配ボックス側接地部７９の中間には、電力供給部３３（図３参照）に接触する円弧状の電気接触部８１、８１が形成されている。そして、各分配ボックス側接地部７９の先端は、上部ケース６４側に位置するように配設されている（言い換えれば、各分配ボックス側接地部７９は、電源分配ボックス２５のヒューズボックス２２に対する結合方向の反対側に沿って形成されている）。尚、可撓性を有する分配ボックス側接地部７９は、電気的な接続を確実に行うことができるとともに、これを維持することができるという利点がある。
【００４３  】
尚、絶縁基板７８には、各バスバー７７を収容する溝８２が複数形成されている。また、コネクタ接続部６９には図示しないワイヤハーネスの端末に設けられたコネクタが接続されるようになっている。
【００４４  】
電源分配ボックス２５は、上部ケース６４と下部ケース６５とで区画形成される収容空間内に積層バスバー配線板６６を収容した状態で複数の係合部７１と被係合部７６とを係合させることによって形成されている。また、電源分配ボックス２５には、所望の電力供給部３３（図４参照）の位置に合わせて各分配ボックス側接地部７９が導出されている。
【００４５  】
続いてさらに、上記電源分配ボックス群２４（図２参照）を構成する電源分配ボックス２６について説明すると、その電源分配ボックス２６は、図９及び図１０に示される如く、合成樹脂製の上部ケース８３（特許請求の範囲に記載した分配ボックスケースに相当）と、同じく合成樹脂製の下部ケース８４（特許請求の範囲に記載した分配ボックスケースに相当）と、積層バスバー配線板８５、８６とを備えて構成されている。
【００４６  】
上部ケース８３は、コネクタ接続エリア８７と上記接続部３６、３６（図３参照）に対する上部側結合エリア８８とを有している。そのコネクタ接続エリア８７の表面には、四つのコネクタ接続部８９を構成する四つのハウジング部９０が形成されている（この数に限られるものではないものとする）。また、コネクタ接続エリア８７の周縁部には、下部ケース８４に対しての係合部９１、９１、９１が形成されている。一方、上部側結合エリア８８の表面には、嵌合部３７、３７が形成されている。また、上部側結合エリア８８の周縁部には、後述する分配ボックス側接地部７９を導出させるためのスリット９２と、下部ケース８４に対しての係合部９１が形成されている。
【００４７  】
下部ケース８４は、フラットエリア９３と上記接続部３６、３６（図３参照）に対する下部側結合エリア９４とを有している。そのフラットエリア９３の周縁部には、上部ケース８３対しての被係合部９５、９５、９５が形成されている。一方、下部側結合エリア９４の表面には、嵌合部５０、５０が形成されている。また、下部側結合エリア９４の周縁部には、上部ケース８３に対しての被係合部９５とスリット９２とが形成されている。
【００４８  】
尚、嵌合部３７、３７及び嵌合部５０、５０は特許請求の範囲に記載した共通仕様の嵌合部に相当し、その説明については後述するものとする。
【００４９  】
積層バスバー配線板８５は、上部ケース８３と下部ケース８４とで区画形成される収容空間内の上部ケース８３側に収容されるものであって、バスバー９６と、ジョイント用バスバー９７、９７と、絶縁基板９８とを備えて構成されている。また、積層バスバー配線板８５は、バスバー９６と、ジョイント用バスバー９７、９７と、絶縁基板９８とを重ね合わせることにより形成されている。
【００５０  】
バスバー９６は、特許請求の範囲に記載した第二バスバーに相当するものであって、その一端（若しくは一部）には、対応するスリット９２を介して外部に導出される分配ボックス側接地部７９（上述と同じであるため同一の符号を付すことにする。先端は上部ケース８３側に位置するようになっている）が連成されている。また、バスバー９６の中間や他端には、コネクタ接続部８９を構成するジョイント端子としてのタブ９９が連成されている。バスバー９６は、分配ボックス側接地部７９及び接続部３６の電力供給部３３を介して対応するヒューズ３０の下流側と接続されるようになっている（図３参照）。言い換えれば、ヒューズ３０（図３参照）の下流側からの分配がバスバー９６によって複数に分配されるようになっている。
【００５１  】
ジョイント用バスバー９７、９７は、その側部に複数のタブ９９を起立連成させたものである。また、絶縁基板９８には、複数のタブ挿通孔１００が形成されている。
【００５２  】
積層バスバー配線板８６は、上部ケース８３と下部ケース８４とで区画形成される収容空間内の下部ケース８４側に収容されるものであって、バスバー１０１、１０１と、絶縁基板１０２とを備えて構成されている。また、積層バスバー配線板８６は、バスバー１０１、１０１と、絶縁基板１０２とを重ね合わせることにより形成されている。
【００５３  】
バスバー１０１、１０１は、特許請求の範囲に記載した第二バスバーに相当するものであって、その一端（若しくは一部）には、対応するスリット９２を介して外部に導出される分配ボックス側接地部７９（上述と同じであるため同一の符号を付すことにする。先端は上部ケース８３側に位置するようになっている）が連成されている。また、バスバー１０１、１０１の中間や他端には、コネクタ接続部８９を構成するジョイント端子としてのタブ９９が連成されている。バスバー１０１、１０１は、分配ボックス側接地部７９及び接続部３６の電力供給部３３を介して対応するヒューズ３０の下流側と接続されるようになっている（図３参照）。言い換えれば、ヒューズ３０（図３参照）の下流側からの分配がバスバー１０１、１０１によって複数に分配されるようになっている。
【００５４  】
尚、コネクタ接続部８９には図示しないワイヤハーネスの端末に設けられたコネクタが接続されるようになっている。また、コネクタ接続部８９は、上記構成によってジョイントコネクタ（Ｊ／Ｃ）としての機能を有するようになっている（Ｊ／Ｃ：Joint Connector ：コネクタ内の複数のターミナル間を短絡した分岐接続部品）。
【００５５  】
電源分配ボックス２６は、上部ケース８３と下部ケース８４とで区画形成される収容空間内に積層バスバー配線板８５、８６を収容した状態で複数の係合部９１と被係合部９５とを係合させることによって形成されている。また、電源分配ボックス２６には、所望の電力供給部３３（図４参照）の位置に合わせて各分配ボックス側接地部７９が導出されている。
【００５６  】
上記構成において、主に図２を参照しながら電気接続箱２１の組み立てについて説明する。
【００５７  】
電気接続箱２１は、ヒューズボックス２２の接続部３６、３６間にリレーボックス２３、電源分配ボックス２５、２５、及び電源分配ボックス２６を順次、挿入、結合させることにより組み立てられる。すなわち、先ず、接続部３６、３６の所望の電力供給部３３にリレーボックス側接地部６０、６０を接触（図１１参照）させつつリレーボックス２３をその上部側結合エリア４６（図６参照）側から接続部３６、３６間に挿入し、さらに、リレーボックス２３の嵌合部５０、５０（図６参照）をヒューズボックス２２の嵌合部３７、３７に嵌合させる。これにより、リレーボックス２３がヒューズボックス２２に結合する。
【００５８  】
次に、接続部３６、３６の所望の電力供給部３３に複数の分配ボックス側接地部７９を各々接触（図１１参照）させつつ一つ目の電源分配ボックス２５をその下部側結合エリア７４（図８参照）側から接続部３６、３６間に挿入し、さらに、電源分配ボックス２５の嵌合部５０、５０（図８参照）をリレーボックス２３の嵌合部３７、３７に嵌合させる。これにより、一つ目の電源分配ボックス２５がヒューズボックス２２（リレーボックス２３を結合した状態）に結合する。
【００５９  】
続いて、同様に二つ目の電源分配ボックス２５も嵌合させる。これにより、二つ目の電源分配ボックス２５がヒューズボックス２２（リレーボックス２３及び一つ目の電源分配ボックス２５を結合した状態）に結合する。
【００６０  】
そして最後に、接続部３６、３６の所望の電力供給部３３に複数の分配ボックス側接地部７９を各々接触（図１１参照）させつつ電源分配ボックス２６をその下部側結合エリア９４（図１０参照）側から接続部３６、３６間に挿入し、さらに、電源分配ボックス２６の嵌合部５０、５０（図１０参照）を二つ目の電源分配ボックス２５の嵌合部３７、３７に嵌合させる。これにより、電源分配ボックス２６がヒューズボックス２２（リレーボックス２３及び電源分配ボックス２５、２５を結合した状態）に結合する。以上により一連の組み立てが完了し、電気接続箱２１が完成する。
【００６１  】
尚、嵌合部３７及び嵌合部５０は、例えば図１２に示されるような形状に形成されている（一例である。これに限られるものではないものとする）。すなわち、嵌合部５０は可撓性を有する略爪状の突起に形成されている。また、嵌合部３７は、挿し込んだ嵌合部５０を一旦撓ませてから嵌合させ且つ嵌合部５０が嵌合した後にはその抜けを規制するような貫通孔状に形成されている。
【００６２  】
以上、ヒューズボックス２２と電源分配ボックス２５、２５、２６（複数種の電源分配ボックス）とリレーボックス２３とを備えた電気接続箱２１になる。また、共通仕様となる嵌合部３７及び嵌合部５０を介してヒューズボックス２２と電源分配ボックス２５、２５、２６（複数種の電源分配ボックス）とリレーボックス２３とが一体に結合し合う電気接続箱になる。そして、ヒューズボックス２２と電源分配ボックス２５、２５、２６（複数種の電源分配ボックス）とリレーボックス２３とが一体に結合する際に、ヒューズボックス２２の接続部３６、３６の所望の電力供給部３３にリレーボックス側接地部６０及び電源分配ボックス２５、２５、２６の各分配ボックス側接地部７９が接触して電気的な接続も完了する電気接続箱２１になる。
【００６３  】
次に、図１３を参照しながら他の一実施の形態としての電気接続箱について説明する。図１３は本発明による電気接続箱の他の一実施の形態を示す斜視図である。尚、上述と基本的に同じ構成部材には同一の符号を付してその説明を省略する。
【００６４  】
図１３において、引用符号１１０で示される電気接続箱は、ヒューズボックス２２と電源分配ボックス２５と電源分配ボックス２６とを備えて構成されている。すなわち、電気接続箱１１０は、ヒューズボックス２２に電源分配ボックス２５及び電源分配ボックス２６を順次、上述と同じ組み立て方法により結合させて形成されている。
【００６５  】
続いて、図１４を参照しながら更に他の一実施の形態としての電気接続箱について説明する。図１４は本発明による電気接続箱の更に他の一実施の形態を示す斜視図である。尚、上述と基本的に同じ構成部材には同一の符号を付してその説明を省略する。
【００６６  】
図１４において、引用符号１２０で示される電気接続箱は、ヒューズボックス２２と電源分配ボックス２５、２５とを備えて構成されている。すなわち、電気接続箱１２０は、ヒューズボックス２２に一つ目の電源分配ボックス２５及び二つ目の電源分配ボックス２５を順次、上述と同じ組み立て方法により結合させて形成されている。
【００６７  】
以上、図１ないし図１４までを参照しながら説明してきたように、本発明による電気接続箱は、ワイヤハーネスの分割形態、ワイヤハーネスのジョイント形態、車種、グレード、の差による回路の増減及びコストの調整に柔軟に対応することが可能な電気接続箱であると言える。
【００６８  】
その他、本発明は本発明の主旨を変えない範囲で種々変更実施可能なことは勿論である。すなわち、例えば電力供給部３３の突出長さを長くして接続部３６を大きくすれば、より多くの様々な電源分配ボックスを結合させることができるのは言うまでもない。
【００６９  】
尚、上述では電源分配ボックスを二種類挙げて説明したが、その種類数に限られるものではないものとする。
【００７０  】
【発明の効果】
以上説明したように、請求項１に記載された本発明によれば、ワイヤハーネスの分割形態、ワイヤハーネスのジョイント形態、車種、グレード、の差による回路の増減及びコストの調整に柔軟に対応することが可能な電気接続箱を提供することができるという効果を奏する。
【００７１  】
請求項２に記載された本発明によれば、請求項１と同様、ワイヤハーネスの分割形態、ワイヤハーネスのジョイント形態、車種、グレード、の差による回路の増減及びコストの調整に柔軟に対応することが可能な電気接続箱を提供することができるという効果を奏する。
【００７３】
請求項３に記載された本発明によれば、分配ボックス側接地部の可撓性を利用して電力供給部に押圧されるように接続することができる。従って、電気的な接続を確実に行うことができるという効果を奏する。また、これを維持することができるという効果も奏する。
【００７４】
請求項４に記載された本発明によれば、分配ボックス側接地部の可撓性及びリレーボックス側接地部の可撓性を利用して電力供給部に押圧されるように接続することができる。従って、電気的な接続を確実に行うことができるという効果を奏する。また、これを維持することができるという効果も奏する。
【図面の簡単な説明】
【図１】本発明による電気接続箱の一実施の形態を示す斜視図であり、（ａ）はヒューズボックス側の斜視図、（ｂ）は電源分配ボックス群の結合側の斜視図である。
【図２】図１（ａ）に対する分解斜視図である。
【図３】ヒューズボックスの斜視図であり、（ａ）はヒューズボックスケースの上面側の斜視図、（ｂ）はヒューズボックスケースの下面側の斜視図である。
【図４】図３（ｂ）の接続部の分解斜視図である。
【図５】リレーボックスの斜視図である。
【図６】図５のリレーボックスの分解斜視図である。
【図７】電源分配ボックスの斜視図である。
【図８】図７の電源分配ボックスの分解斜視図である。
【図９】図７とは異なる種類の電源分配ボックスの斜視図である。
【図１０】図９の電源分配ボックスの分解斜視図である。
【図１１】接続部の電気的接続の状態を説明するための模式図である。
【図１２】嵌合部を説明するための断面図である。
【図１３】本発明による電気接続箱の他の一実施の形態を示す斜視図である。
【図１４】本発明による電気接続箱の更に他の一実施の形態を示す斜視図である。
【図１５】従来例の電気接続箱の斜視図である。
【符号の説明】
２１  電気接続箱
２２  ヒューズボックス
２３  リレーボックス
２４  電源分配ボックス群
２５、２６  電源分配ボックス
２９  ヒューズボックスケース
３０  ヒューズ
３３  電力供給部
３５  ガイド部材
３６  接続部
３７  嵌合部（共通仕様の嵌合部）
４２  上部ケース（リレーボックスケース）
４３  下部ケース（リレーボックスケース）
４７  リレー接続部
４８  リレー
５０  嵌合部（共通仕様の嵌合部）
５４  コネクタ接続部
５６、５７  バスバー（第三バスバー）
６０  リレーボックス側接地部
６４  上部ケース（分配ボックスケース）
６５  下部ケース（分配ボックスケース）
６９  コネクタ接続部
７７  バスバー（第二バスバー）
７９  分配ボックス側接地部
８３  上部ケース（分配ボックスケース）
８４  下部ケース（分配ボックスケース）
８９  コネクタ接続部
９６、１０１  バスバー（第二バスバー）
１１０、１２０  電気接続箱
【図１】
0003979516.tif 000002
【図２】
0003979516.tif 000003
【図３】
0003979516.tif 000004
【図４】
0003979516.tif 000005
【図５】
0003979516.tif 000006
【図６】
0003979516.tif 000007
【図７】
0003979516.tif 000008
【図８】
0003979516.tif 000009
【図９】
0003979516.tif 000010
【図１０】
0003979516.tif 000011
【図１１】
0003979516.tif 000012
【図１２】
0003979516.tif 000013
【図１３】
0003979516.tif 000014
【図１４】
0003979516.tif 000015
【図１５】
0003979516.tif 000016